(57)【要約】  フィールドデバイスを無線プロセス通信ネットワークに接続する方法が提供される。方法は、無線フィールドデバイスを無線ゲートウェイに近接させることを含む。方法はまた、無線ゲートウェイと関連したＮＦＣトランシーバと無線フィールドデバイスと関連したＮＦＣタグとの間の接続を確立することを含む。方法はまた、無線フィールドデバイスアクセス情報を交換するために無線ゲートウェイとフィールドデバイスとの間に近距離無線通信を生成することを含む。方法はまた、無線フィールドデバイスが無線プロセス通信ネットワーク上で通信することを可能にするために無線フィールドデバイスアクセス情報を使用することを含む。ＮＦＣ通信を使用して無線ゲートウェイで無線プロセス通信アダプタを構成し、次いで構成された無線プロセス通信アダプタをフィールドデバイスに接続する方法も提供される。
2019517172.tif 000002
【特許請求の範囲】
【請求項１】
フィールドデバイスを無線プロセス通信ネットワークに接続する方法であって、
無線フィールドデバイスを無線ゲートウェイに近接させることと、
無線ゲートウェイと関連したＮＦＣトランシーバと無線フィールドデバイスと関連したＮＦＣタグとの間の接続を確立することと、
無線フィールドデバイスアクセス情報を交換するために無線ゲートウェイとフィールドデバイスとの間に近距離無線通信を生成することと、
無線フィールドデバイスが無線プロセス通信ネットワーク上で通信することを可能にするために無線フィールドデバイスアクセス情報を使用することと、
を含む方法。
【請求項２】
無線フィールドデバイスアクセス情報が、無線ネットワークのための接続キーを含む、請求項１に記載の方法。
【請求項３】
接続キーが、無線ゲートウェイから得られる、請求項２に記載の方法。
【請求項４】
接続を確立すること及び近距離無線通信を生成することが、無線ゲートウェイに通信可能に近接する無線フィールドデバイス上で自動的に完了する、請求項１に記載の方法。
【請求項５】
ＮＦＣタグが、ＮＦＣトランシーバから接続を通じて電力を得るように構成されたパッシブＮＦＣタグである、請求項１に記載の方法。
【請求項６】
ＮＦＣタグが、無線フィールドデバイス内の電源から電力を得るように構成されたアクティブＮＦＣタグである、請求項１に記載の方法。
【請求項７】
無線プロセス通信ネットワーク上でフィールドデバイスと相互作用するように構成された無線ゲートウェイであって、
フィールドデバイスと関連したＮＦＣタグを検出しＮＦＣタグへ接続するように構成されたＮＦＣトランシーバと、
フィールドデバイスと関連したＮＦＣタグの検出に応じて、ネットワーク接続キーを検索し検索されたネットワーク接続キーをフィールドデバイスへ提供するように構成された通信要素と、
フィールドデバイスと無線プロセス通信ネットワーク上で通信するための無線プロセス通信モジュールと、
を含むゲートウェイ。
【請求項８】
検出されるＮＦＣタグが、アクティブＮＦＣタグである、請求項７に記載の無線ゲートウェイ。
【請求項９】
検出されるＮＦＣタグが、ＮＦＣトランシーバとの接続を通じて電力を得るように構成されたパッシブＮＦＣタグである、請求項７に記載の無線ゲートウェイ。
【請求項１０】
無線ゲートウェイを利用してネットワーク上で通信する方法であって、
無線ゲートウェイと関連したＮＦＣトランシーバによって、フィールドデバイスと関連したＮＦＣタグを検出することと、
フィールドデバイスに接続キーを提供することと、
無線プロセス通信プロトコルを使用してネットワーク上でフィールドデバイスと通信することと、
を含む方法。
【請求項１１】
接続キーをネットワーク上で受信する、請求項１０に記載の方法。
【請求項１２】
接続キーをシステムホストコンピュータから受信する、請求項１１に記載の方法。
【請求項１３】
接続キーをネットワークコンピュータから受信する、請求項１１に記載の方法。
【請求項１４】
接続キーが、無線ゲートウェイによって生成される、請求項１０に記載の方法。
【請求項１５】
無線ゲートウェイによって生成された接続キーが、ネットワーク上で別のデバイスにも提供される、請求項１４に記載の方法。
【請求項１６】
フィールドデバイスからデバイス識別指示を受信することを更に含む、請求項１０に記載の方法。
【請求項１７】
接続キーが、ネットワーク上で携帯型フィールドメンテナンスツールに提供され、提供することが、携帯型フィールドメンテナンスツールがフィールドデバイスに接続キーを提供することを含む、請求項１５に記載の方法。
【請求項１８】
フィールドデバイスを無線プロセス通信ネットワークに接続する方法であって、
無線ゲートウェイのＮＦＣ通信範囲に無線プロセス通信アダプタを置くことと、
無線ゲートウェイと関連したＮＦＣトランシーバと無線プロセス通信アダプタと関連したＮＦＣタグとの間の接続を確立することと、
無線プロセス通信ネットワーク上で通信するように無線プロセス通信アダプタを構成するために無線ゲートウェイと無線プロセス通信アダプタとの間に近距離無線通信を生成することと、
無線プロセス通信アダプタを構成した後に、フィールドデバイスが無線プロセス通信ネットワーク上で通信することを可能にするためにフィールドデバイスに無線プロセス通信アダプタを物理的に接続させることと、
を含む方法。
【発明の詳細な説明】
【技術分野】
【０００１】
背景
任意の数のフィールドデバイスが、１つ以上の進行中のプロセスを監視するためにプロセス施設において使用され得る。例えば、流量計は、施設を通る流速を監視することができ、圧力及び温度センサは、施設を通る異なる点におけるプロセス流体に関する重要な圧力及び温度情報を提供することができる。他のフィールドデバイスは、オペレータが進行中のプロセスを監視するために、他の重要なプロセス変数又は知覚的データを報告することができる。プロセス施設のいくつかの例としては、石油、医薬、化学、パルプ、及び他の流体処理施設が挙げられる。このような施設では、プロセス制御及び測定ネットワークは、このようなデバイスが適切に機能し及び／又は較正されることを保証するために定期的にメンテナンスを必要とする何十又は何百の種々のフィールドデバイスを含むことがあり得る。
【０００２】
いくつかのプロセス施設は、無線ネットワーク上で作動することができる。これはフィールドデバイスとしての施設の管理および設置の間に利点を提供することができ、施設の要素は、ネットワークにアクセスするために別々のネットワーク接続を必要としない。
【０００３】
新しい無線フィールドデバイスは、プロセス環境内において設置されるとき、接続プロセスを通じてネットワークに加えられなければならない。いくつかの状況では、セキュリティは、対称接続キー機構を使用することによって確保される。正しい接続キーがフィールドデバイスにロードされなければならず、その結果、無線フィールドデバイスが他のフィールドデバイス及びゲートウェイによって受け入れられる。安全にフィールドデバイス上にロードされた接続キーが、無線ネットワークから要求されなければならず、その結果、範囲内の別の無線デバイスは、接続キーを受けることができず、接続キーを不正使用することができない。接続キーを手動で各々の新しいフィールドデバイスにロードすることができるが、手動ロードは時間がかかりエラーを起こしがちである。
【０００４】
概要
フィールドデバイスを無線プロセス通信ネットワークに接続する方法が提供される。方法は、無線フィールドデバイスを無線ゲートウェイに近接させることを含む。方法はまた、無線ゲートウェイと関連したＮＦＣトランシーバと無線フィールドデバイスと関連したＮＦＣタグとの間の接続を確立することを含む。方法はまた、無線フィールドデバイスアクセス情報を交換するために無線ゲートウェイとフィールドデバイスとの間に近距離無線通信を生成することを含む。方法はまた、無線フィールドデバイスが無線プロセス通信ネットワーク上で通信することを可能にするために無線フィールドデバイスアクセス情報を使用することを含む。ＮＦＣ通信を使用して無線ゲートウェイで無線プロセス通信アダプタを構成し、次いで構成された無線プロセス通信アダプタをフィールドデバイスに接続する方法も提供される。
【０００５】
特許請求される実施形態を特徴づけるこれらの及び種々の他の特性及び利点は、以下の詳細な説明を読み、関連する図面を検討することで明らかになるであろう。
【図面の簡単な説明】
【０００６】
【図１】本発明の実施形態が有用であり得る例示的なプロセス制御環境を示す。
【図２】本発明の実施形態が有用であり得る例示的なプロセス制御環境のフロー図である。
【図３】本発明の一実施形態に従った例示的なプロセス制御装置を示す。
【図４】本発明の一実施形態に従った例示的な無線ゲートウェイを示す。
【図５】本発明の実施形態に従った無線プロセス通信アダプタを構成する方法のフロー図である。
【発明を実施するための形態】
【０００７】
図１は、本発明の実施形態が有用であり得る例示的なプロセス制御環境を示す。図１に示されるプロセス制御／監視システム１０は、ホストコンピュータ１２、ネットワーク１４、無線ネットワーク１６、移動構成デバイス３０、及びネットワークコンピュータ３２を含む。一実施形態では、ネットワーク１４は、高速ネットワークである。一実施形態では、無線ネットワーク１６は、ゲートウェイ１８及び複数の無線フィールドデバイス又はノード２０ａ〜２０ｉを含む。しかしながら、別の実施形態では、少なくともいくつかのフィールドデバイス２０ａ〜２０ｉは、少なくとも一部のネットワーク１４に配線され得る。
【０００８】
ゲートウェイ１８は、一実施形態では、無線ネットワーク１６及び高速ネットワーク１４上のホストコンピュータ１２とインターフェースする。一実施形態では、無線ネットワーク１６は、無線メッシュネットワークである。メッセージは、ホストコンピュータ１２からネットワーク１４上のゲートウェイ１８へ発信され、次いで、一実施形態では、いくつかの異なる経路のうちの１つの、ネットワーク１６の選択されたノードへ発信される。同様に、ネットワーク１６の個々のノードからのメッセージは、ゲートウェイ１８に到着するまで、一実施形態では、ノードからいくつかの経路のうちの１つのノードへ、ネットワーク１６を経由し、次いで、ネットワーク１４上のホストコンピュータ１２へ発信される。しかしながら、別の実施形態では、フィールドデバイス２０ａ〜２０ｉは、ゲートウェイ１８と直接、又はホストコンピュータ１２若しくはネットワークコンピュータ３２と直接通信することが可能である。
【０００９】
ホストコンピュータ１２は、一実施形態では、フィールドデバイス２０ａ〜２０ｉへ情報を送信すること並びにフィールドデバイス２０ａ〜２０ｉから受信したメッセージに含まれるデータを分析することを容易にするようにアプリケーションプログラムを実行する分散型制御システムのホストである。ホストコンピュータ１２は、例えば、ユーザがフィールドデバイス２０ａ〜２０ｉを監視しフィールドデバイス２０ａ〜２０ｉと相互作用することを可能にするように、AMS（商標）デバイスマネージャをアプリケーションプログラムとして使用することができる。
【００１０】
ゲートウェイ１８は、多数の異なる通信プロトコルを使用してネットワーク１４上のホストコンピュータ１２と通信することができる。例えば、一実施形態では、ネットワーク１４は、RS485二線式通信リンクなどの有線ネットワークを含む。一実施形態では、ゲートウェイ１８は、MODBUS Protocolを使用してホストコンピュータ１２と通信する。しかしながら、他の好適な通信プロトコル、例えばEthernet、OPC、EtherNet/IP又はHART IPが、ゲートウェイ１８とホストコンピュータ１２との間の通信を容易にするために使用されてもよい。
【００１１】
ゲートウェイ１８はまた、ネットワーク１４上のユーザが無線ネットワーク１６のフィールドデバイス２０ａ〜２０ｉにアクセスしてフィールドデバイス２０ａ〜２０ｉから受信したデータを処理することを可能にするために、ウェブサーバとしての役割を果たすことができる（又は関連するウェブサーバを有することができる）。ウェブサーバによって、ゲートウェイ１８を、標準のウェブブラウザ及びネットワーク１４への安全なEthernet接続を有するコンピュータを使用して構成することが可能になる。ゲートウェイ１８によって生成されたユーザ構成可能な監視ページによって、フィールドデバイス２０ａ〜２０ｉからの測定された値を、グループ分けしてウェブインターフェースで容易に視認することが可能になる。ゲートウェイ１８によって生成されたウェブページは、ホストコンピュータ１２又はネットワーク１４に接続された（コンピュータ３２などの）別のコンピュータ若しくはネットワークデバイスを通じてネットワーク１４にアクセスすることによって視認され得る。ゲートウェイ１８の機能を果たすために好適なデバイスの例は、Rosemount, IncのRosemount 1420無線ゲートウェイである。他の実施形態では、情報は、ウェブブラウザ及びウェブサーバを必要とせずに、他のフォーマットのＧＵＩによって提供され得る。例えば、一実施形態では、情報は、ホストコンピュータ１２と関連した外部ディスプレイ上に提供される。別の実施形態では、情報は、携帯型フィールドメンテナンスツール、例えば下で説明されるツール２００のユーザインターフェースに表示される。
【００１２】
無線ネットワーク１６は、好ましくは、ノードの多くが長寿命バッテリ又は低電力エネルギー抽出電源によって電力を供給される低電力ネットワークである。無線ネットワーク１６上の通信は、一実施形態では、メッシュネットワーク構成に従って提供され、メッセージが、ネットワーク１６を通じてノードからノードへ送信される。別の実施形態では、無線ネットワーク１６上の通信は、フィールドデバイスから意図した宛先、例えばゲートウェイ１８又はホストコンピュータ１２への直接通信を伴うことができる。しかしながら、メッシュネットワーク構成の使用は、低電力ＲＦ無線機の使用を可能にし、ネットワーク１６が、メッセージをネットワークの一端から他端へ伝送する大きな物理領域に及ぶことを可能にする。
【００１３】
有線制御／監視システムにおいて、ホストコンピュータとフィールドデバイスとの間の相互作用は、HART（登録商標）、FOUNDATION（商標）、Fieldbus、Profibus又は別の好適なプロトコルなどの制御システム通信プロトコルを通じて配布された周知の制御メッセージを使用して行われる。有線及び無線システムにおいて使用可能なフィールドデバイスは、既知の制御メッセージプロトコルのうちの１つに従った制御メッセージを使用することができる。いくつかの場合には、ネットワーク１６上の無線通信が事実上汎用の無線プロトコルに従って行われるので、無線フィールドデバイス２０ａ〜２０ｉは、無線ネットワーク１６の一部であるため、これらの周知の制御メッセージをホストコンピュータ１２と直接取り交わすことが不可能なことがあり得る。
【００１４】
図２は、本発明の一実施形態に従った例示的なフィールドデバイスを示す。一実施形態では、フィールドデバイス２００は、プロセス環境内における進行中のプロセス２２２に結合して、進行中のプロセス２２２からプロセス変数に関する知覚的指度を受けるように構成されたプロセス測定ハードウェア２２０を含む。例えば、プロセス変数の知覚的指度は、プロセス流体温度、圧力、流速に関する情報、又は進行中のプロセスに関係する他の関連した知覚的情報を含むことができる。プロセス測定ハードウェア２２０は、一実施形態では、電源２４０によって電力を供給され得る。
【００１５】
一実施形態では、フィールドデバイス２００は、例えばIEC62591に従ったデバイスなどの、好適な無線プロセス通信プロトコルを使用する無線プロセス通信ネットワーク１６上の他のデバイスと通信することを可能にするように構成された、無線アダプタ２３０を含む。フィールドデバイス２００がネットワーク１６に接続されると、無線アダプタ２３０は、フィールドデバイス２００のための一次通信機構となり得る。無線アダプタ２３０は、例えばフィールドデバイス２００と、例えば、ネットワーク１６上の別のデバイス、携帯型フィールドメンテナンスツールとの通信接続を可能し得る。
【００１６】
一実施形態では、フィールドデバイス２００は、ＮＦＣタグ２１０を含む。ＮＦＣタグ２１０は、一実施形態では、パッシブＮＦＣタグである。パッシブＮＦＣタグ２１０は、関連する電源を有しないが、図３及び図４に関して以下で更に詳細に説明されるように、ＮＦＣ接続を通じて、ＮＦＣ結合デバイスから電力を得るように構成される。別の実施形態では、ＮＦＣタグ２１０は、アクティブＮＦＣタグであり、電源２４０などの、フィールドデバイス２００内の電源から電力を得るように構成される。
【００１７】
ＮＦＣタグ２１０は、例えば無線アダプタ２３０がまだ構成されないか又は不適切に構成される場合に、二次通信機構をフィールドデバイス２００に提供することができる。
【００１８】
図３は、本発明の一実施形態に従ったＮＦＣ対応フィールドデバイスと相互作用する例示的な方法を示す。方法３００は、例えば、無線フィールドデバイスをネットワークに初期接続するために有用であり得る。
【００１９】
方法３００はまた、一実施形態では、無線プロセス通信ネットワーク上のフィールドデバイスへのアクセスを可能にするための安全な認証機構として有用であり得る。
【００２０】
ブロック３１０において、フィールドデバイスを、アクティブＮＦＣトランシーバを有する無線ゲートウェイにＮＦＣ近接させる。一実施形態では、近接は、例えばブロック３１２に示されるように、ＮＦＣ信号を受けることができる最大距離と定められる。
【００２１】
ブロック３２０において、無線フィールドデバイスと関連したＮＦＣタグを、無線ゲートウェイ内のＮＦＣトランシーバによって検出する。検出されるＮＦＣタグは、アクティブＮＦＣタグ３２２であっても、又は、別の実施形態では、パッシブＮＦＣタグ３２４であってもよい。
【００２２】
ブロック３３０において、フィールドデバイスをネットワークに接続する。一実施形態では、携帯型フィールドメンテナンスツールと関連したＮＦＣトランシーバが、フィールドデバイスと関連したＮＦＣタグと通信で接続される。一実施形態では、ＮＦＣ接続は、例えばネットワークキーをフィールドデバイスへ転送しフィールドデバイスの識別をネットワークへ転送することによってネットワークにフィールドデバイスを接続するように構成される。一実施形態では、ＮＦＣ接続は、システムセキュリティを維持しながら、対称接続プロセスを必要とせずに、自動的にネットワーク接続キーを検索してフィールドデバイスへ転送する。一実施形態では、接続キーは、構成されるときにフィールドデバイスがネットワークへアクセスすることを可能にするネットワークアクセスキーを含む。一実施形態では、接続キーはまた、ネットワーク識別子を含む。フィールドデバイスを作動させることは、フィールドデバイスに接続キーを提供して、ネットワークに接続するようフィールドデバイスが構成されるように無線ゲートウェイに指示を提供することを含むことができる。
【００２３】
図４は、本発明の一実施形態に従った例示的な無線ゲートウェイを示す。無線ゲートウェイ４００は、一実施形態では、図１に関して上記で説明されたゲートウェイ１８と同様に機能することができる。無線ゲートウェイ４００は、一実施形態では、IEC 62591などの無線プロセス通信プロトコルに従ってフィールドデバイス２０ａ〜２０ｉのうちのいずれか１つと通信するように構成された無線プロセス通信プロトコルモジュール４１０を含む。いくつかの実施形態では、無線プロセス通信モジュールは、Bluetooth４０２、Wi-Fi４０４、セルラー４０８、ＳＡＴ４１２及び／又は別の適切な無線通信技術などの、追加的な無線通信プロトコルに従って通信するために追加的な要素又は電気回路を含むことができる。無線ゲートウェイ４００はまた、例えばフィールドデバイス２００を検出するように構成された、ＮＦＣトランシーバ４３０を含むことができる。一実施形態では、無線ゲートウェイ４００は、ディスプレイ４４２及び入力機構４４４を有したユーザインターフェース４４０を含む。一実施形態では、入力機構４４４は一セットのキーを含む。ユーザインターフェース４４０は、一実施形態では、入力機構４４４を通じてユーザ入力を受け、例えばディスプレイ４４２を通じて指示を表示するように構成され得る。
【００２４】
無線ゲートウェイ４００はまた、例えば、上記で述べた方法３００のステップのうちの少なくともいくつかを実行するように構成された、制御装置４２０を含むことができる。例えば制御装置４２０は、フィールドデバイス２００を検出するＮＦＣトランシーバ４３０に基づいて、検出されたフィールドデバイス２００がプロセス環境ネットワークにアクセスしなければならないことを確認し、及び無線通信プロトコルモジュール４１０を利用して、ネットワークから接続キーを検索し、ＮＦＣトランシーバ４３０を通じて接続キーをフィールドデバイス２００に提供することができる。一実施形態では、制御装置４２０は、自動的に接続キーを検索して提供する。一実施形態では、接続キーを提供することに加えて、制御装置４２０は、他のネットワーク情報を提供することができる。例えば一実施形態では、制御装置４２０は、ネットワーク上で許容されるデバイスの「ホワイトリスト」に加えられるように、無線デバイスにネットワークＩＤを提供する。
【００２５】
追加的に、一実施形態では、ＮＦＣ技術の使用が、書き込まれるか又は入力された接続キーを伴う複雑な接続プロセスを必要とせずに、ネットワークに対する複数のフィールドデバイスの各々の安全な接続を可能にする。一実施形態では、安全な接続は、ゲートウェイ４００の直接見通し線にフィールドデバイス２００を含む。一実施形態では、安全な接続は、ゲートウェイ４００の極めて近接にフィールドデバイス２００を含む。一実施形態では、安全な接続は、ゲートウェイ４００の直接見通し線である極めて近接にフィールドデバイス２００を含む。安全な接続によって、一実施形態では、フィールドデバイス２００を、別のデバイスから接続キーを得ることなくネットワークに接続することが可能になる。
【００２６】
一実施形態では、方法３００によって、携帯型フィールドメンテナンスツールを有するオペレータが、例えば、ネットワーク生成の接続キーをフィールドデバイスに、又は、例えば、フィールドデバイス情報をネットワークに転送する携帯型フィールドメンテナンスツール内のＮＦＣトランシーバによってネットワークにフィールドデバイスを接続することが可能になる。一実施形態では、ＮＦＣトランシーバ４３０は、ＮＦＣタグ、例えばフィールドデバイス２００と関連したＮＦＣタグ２１０を検出するとすぐに自動的に接続情報を転送するように構成される。少なくとも１つの実施形態では、ＮＦＣトランシーバ４３０は、フィールドデバイス内のＮＦＣタグ、例えばＮＦＣタグ２１０へ接続して電力を提供するように構成される。
【００２７】
別の実施形態では、ＮＦＣ接続は、携帯型フィールドメンテナンスツールによるアクセスを可能にするために携帯型フィールドメンテナンスツールからフィールドデバイスへログイン情報を提供するように構成される。アクセスは、例えば、フィールドデバイスの診断を実行するために必要であり得る。別の実施形態では、ＮＦＣ接続は、フィールドデバイスが受けたプロセス変数測定値を指示する信号をフィールドデバイスから受けるように構成される。
【００２８】
図２へ戻ると、一実施形態では、フィールドデバイス２００は、無線アダプタ２３０の無い有線フィールドデバイスとして最初に設置される。技術が改善されるたびに、フィールドデバイス２００は、新しい無線通信機能を導入するために無線アダプタ２３０を改装設置することができる。一実施形態では、無線アダプタ２３０は、前もって設置されたフィールドデバイス２００への設置のために追加導入される。このような新部品の追加導入は、フィールドデバイス２００とネットワークとの間の通信可能な接続の増加、例えば無線通信、を可能にすることができる。例えば、無線アダプタ２３０は、例えばＮＦＣ、ＲＦ、IEEE 802.11b又は別の好適な無線通信プロトコルのうちのいずれかを使用して、フィールドデバイス２００をネットワークに通信可能に接続するように構成され得る。一実施形態では、無線アダプタ２３０は、フィールドデバイス２００内の既存の電子装置と接続するように構成され得る。
【００２９】
一実施形態では、無線アダプタ２３０は、例えば既に存在するフィールドデバイス２００における設置の前にＮＦＣ技術を使用して、予め構成される。設置前に無線アダプタを予め構成する機能は、フィールドにおける追加的な接続プロセスを必要とせずに、無線アダプタが設置されるとすぐに、改装されたフィールドデバイス２００がネットワークに接続することを可能にする。
【００３０】
無線アダプタ２３０は、一実施形態では、フィールドデバイス２００内の設置ではなく、フィールドデバイス２００への接続のために構成されて、米国特許8,929,948において説明されるように構築され得る。
【００３１】
図５は、本発明の実施形態に従った無線プロセス通信アダプタを構成する方法のフロー図である。方法５００は、アダプタ２３０などの無線プロセス通信アダプタが、ゲートウェイ４００などの無線ゲートウェイのＮＦＣ範囲にもたらされるブロック５０２から始まる。ブロック５０４に示されるように、パッシブ又はアクティブであり得る、無線プロセス通信アダプタにおけるＮＦＣトランシーバを、ゲートウェイのＮＦＣトランシーバと相互作用させて、無線プロセス通信アダプタが無線プロセス通信ネットワーク上で通信することを可能にするために十分な情報を交換する。このような情報としては、接続キーの提供、アクセス制御リストのアップデートなどを挙げることができる。次に、ブロック５０６で、無線プロセス通信アダプタを、フィールドデバイス２００などのフィールドデバイスに物理的に接続する。フィールドデバイスは、典型的に、有線プロセス通信ループ又はセグメントに接続されることになり、その結果、無線プロセス通信アダプタは、ブロック５０４で構成された無線プロセス通信ループ又はセグメント上で無線で通信する機能を有線フィールドデバイスに提供する。ブロック５０８で、無線プロセス通信アダプタを接続させて、フィールドデバイスは、ブロック５０４で構成された無線プロセス通信ネットワーク上で通信する。
【００３２】
本発明が好ましい実施形態を参照にして説明されたが、本発明の趣旨及び範囲から逸脱することなく形態及び詳細において変更がなされてもよいことを当業者は認識するであろう。
【図１】
2019517172.tif 000003
【図２】
2019517172.tif 000004
【図３】
2019517172.tif 000005
【図４】
2019517172.tif 000006
【図５】
2019517172.tif 000007
【国際調査報告】
2019517172.tif 000008
2019517172.tif 000009